(57)【要約】【課題】  被梱包物の突起物により梱包用材料に固定された弾性フィルムが裂けたり、破れたりすることを回避する。【解決手段】  弾性フィルム１４の上に、弾性フィルム１４が受ける荷重を分散させる梱包用部材１を載置し、その上に被梱包物１９を載置することにより、被梱包物１９の突起物によって弾性フィルム１４が裂けたり、破れたりすることを回避することができる。【選択図】    図１
2006044671.tif 000002
【特許請求の範囲】
【請求項１】
被梱包物を収納する外箱の内部で前記被梱包物を弾性力によって支持する梱包材において、
中央部に窓を有してこの窓を覆うように前記被梱包物を弾性力によって支持するための弾性フィルムが設けられた枠体と、前記枠体を所定の高さに位置付ける脚部と、を有する梱包用材料と、
前記窓よりも小さく形成され、前記弾性フィルムの上に載置され前記弾性フィルムにかかる前記被梱包物の荷重を分散させる梱包用部材と、
を備えることを特徴とする梱包材。
【請求項２】
前記梱包用部材は、板状の部材から構成されていることを特徴とする、請求項１に記載の梱包用部材。
【請求項３】
前記梱包用部材は、前記弾性フィルムの相対向する辺の両辺に沿って設けられていることを特徴とする、請求項１に記載の梱包用部材。
【請求項４】
前記梱包用部材の前記弾性フィルムと接する面には、滑り止め加工が施されていることを特徴とする、請求項１ないし３に記載の梱包用部材。
【請求項５】
被梱包物を収納する筐体状の外箱と、前記外箱の内部で前記被梱包物を弾性力によって支持する梱包材と、を備える梱包用箱において、
前記梱包材は、
中央部に窓を有してこの窓を覆うように前記被梱包物を弾性力によって支持するための弾性フィルムが固定された枠体と、前記枠体を所定の高さに位置付け、前記枠体の剛性を増加させた状態に維持する脚部と、を有する梱包用材料と、
前記窓を覆う前記弾性フィルムよりも小さく、前記弾性フィルムの上に載置され前記弾性フィルムにかかる前記被梱包物の荷重を分散させる梱包用部材と、
を備えることを特徴とする梱包用箱。
【発明の詳細な説明】
【技術分野】
【０００１】
本発明は、商品を輸送する際に用いる梱包材及び梱包用箱に関する。
【背景技術】
【０００２】
従来、パソコンやＥＣＲ（Electronic Cash Register：電子式キャッシュレジスター）等の電子機器等については、例えばダンボール等で作られた梱包用箱等に収納して輸送していた。この梱包用箱の内部にあって電子機器等の被梱包物を輸送時の衝撃や振動から保護するための梱包用材料として、梱包用材料の板材に弾性フィルムを貼付したものが提案されている（例えば、特許文献１参照）。この発明は、梱包用材料に貼付されている一対の弾性フィルムで被梱包物を上下または左右方向から挟むことにより、その弾性フィルムの張力によって被梱包物を支持するものである。
【０００３】
図７は、背景技術である上記特許文献１記載の梱包用材料を説明するための分解斜視図である。例えば、図７に示されているように、弾性フィルム５３が外箱５０の底面と平行となるように梱包用材料５１を外箱５０に収める。そしてこの弾性フィルム５３の上に被梱包物５４を載せ、その上から被梱包物５４を弾性フィルム５５で覆うように梱包用材料５２を被せて外箱５０に収納する。これにより、被梱包物５４は上下一対の梱包用材料５１，５２の弾性フィルム５３，５５により支持される。なお、梱包用材料５１と梱包用材料５２とは、同じ梱包用材料であり、外箱５０に収める向きが異なるだけである。
【０００４】
以上のように被梱包物５４を梱包用材料５１，５２に挟んで外箱５０に収めることにより、梱包用材料５１，５２の弾性フィルム５３，５５の張力が、外箱５０が受ける衝撃や振動等を吸収する。このように被梱包物５４に振動等を極力伝えないようにすることで、外箱５０が輸送等のときに受ける振動等から被梱包物５４の破損等が防止される。
【０００５】
【特許文献１】特開２００１−１９２０６７公報
【発明の開示】
【発明が解決しようとする課題】
【０００６】
上述のように、梱包用材料の弾性フィルムには張力があり、被梱包物の破損等が防止されるためには、弾性フィルムが被梱包物の重量に耐えて外箱が受ける振動等を吸収するという機能が発揮される必要がある。
【０００７】
しかしながら、例えば、被梱包物の角や、鋭利なバリ等が弾性フィルムに触れると、この被梱包物の角等が触れた部分の弾性フィルムが裂けたり、破れたりしてしまい、弾性フィルムの弾性力により被梱包物を支持することができなくなるという問題がある。
【０００８】
さらには、弾性フィルムが裂けたり、破れてしまったりすると、弾性フィルムの張力によって受けていた外箱が受けた振動等を吸収できなくなり、被梱包物自身が直接振動等を受けて破損等することになるとともに、弾性フィルムによって支持されていた被梱包物が外箱の底面に落下し、損傷を被ることになるという問題も発生する。
【０００９】
そこで、本発明は、弾性フィルムの上に被梱包物を載置した場合に、当該弾性フィルムが裂けたり破れたりしてしまうことを回避することを目的としている。
【課題を解決するための手段】
【００１０】
本発明は、被梱包物を収納する筐体状の外箱の内部で前記被梱包物を弾性力によって支持する梱包材において、中央部に窓を有してこの窓を覆うように前記被梱包物を弾性力によって支持するための弾性フィルムが固定された枠体と、前記枠体を所定の高さに位置付ける脚部と、を有する梱包用材料と、前記窓よりも小さく形成され、前記弾性フィルムの上に載置して前記弾性フィルムにかかる前記被梱包物の荷重を分散させる梱包用部材と、を備える。
【発明の効果】
【００１１】
本発明によれば、当該弾性フィルムにかかる荷重を分散させる梱包用部材が備えられていることから、弾性フィルムが裂けたり破れたりしてしまうことを回避することができる。これによりさらに、弾性フィルムが裂けたり破れたりすることによって被梱包物が支持されず、被梱包物が落下等によって損傷を被ることを回避することができる。
【発明を実施するための最良の形態】
【００１２】
本発明の実施の一形態を図１ないし図５に基づいて説明する。図１は、梱包用箱の全体を示す分解斜視図である。そこで、これらを含む全体構成について説明する。
【００１３】
外箱２０は、蓋２１を有する筐体状の箱であり、一対の梱包用材料１０ａ，１０ｂ及び被梱包物１９を収納する構造となっている。すなわち、外箱２０の底面に梱包用材料１０ａの脚部１５ａ〜１５ｄが接するように、弾性フィルム１４が固定されている面を上にして梱包用材料１０ａを外箱２０に入れる。次に弾性フィルム１４にかかる被梱包物１９の荷重を分散させる梱包用部材（本実施形態において中敷きという。）１を弾性フィルム１４の上に載置する。さらに被梱包物１９を載せて、梱包用材料１０ｂを梱包用材料１０ａとは逆の向きに外箱２０に入れる。その際、当該梱包用材料１０ｂを被梱包物１９に押し付けるようにすることで、被梱包物９は上下の弾性フィルム１４によりしっかりと位置固定される。
【００１４】
次に、梱包用箱を構成する外箱２０、梱包用材料１０及び中敷き１について説明する。
【００１５】
図２は、収納した被梱包物１９を輸送するために使用される外箱２０の蓋２１を開けた状態で示す斜視図である。蓋２１は外箱２０の側面から連続して形成されており、側面と蓋２１の境界である折れ線２２を中心に折り曲げることで開閉を行う構造となっている。フラップ２３は、折れ線２２と直交する方向に位置する相対向する側面に一体に形成されており、蓋２１の内側に折り込まれる。
【００１６】
図３は、梱包用材料１０の展開図である。梱包用材料１０は、中央部に窓１３が設けられた矩形状の枠体１２により形成されている。窓１３は、枠体１２に固定されている弾性フィルム１４で覆われている。枠体１２の四辺には枠体１２に直角方向となるように脚部１５ａ〜１５ｄが設けられている。これら脚部１５ａ〜１５ｄは、枠体１２を所定の高さに位置付けるとともに、枠体１２の剛性を増加させた状態に維持するためのものである。この枠体１２は外箱２０に収納され、弾性フィルム１４を通じて被梱包物１９を支持固定する役割を有するものであることから、その四辺の大きさは、外箱２０の開口部をなす四辺と略同じ大きさに形成されている。なお、図３に示す梱包用材料１０では、枠体１２の四辺に脚部が設けられているが、少なくとも相対向する辺に脚部が設けられていれば足りる。
【００１７】
図４は、中敷き１を示す斜視図である。この中敷き１は、上層２及び下層３の２層構造となった、薄い略板状の形状をしている。下層３が、梱包用材料１０ａに固定された弾性フィルム１４の上に置かれ、上層２の上に被梱包物１９が載置される。
【００１８】
図５は、中敷き１が梱包用材料１０ａの弾性フィルム１４の上に載置された状態を示した斜視図である。すなわち、梱包用材料１０ａは外箱２０の底面に脚部１５ａ〜１５ｄが接するように、弾性フィルム１４が固定されている面を上にして外箱２０に収められている。この弾性フィルム１４の上に下層３が接するように、上層２を上に向けて中敷き１を載置する。そして、この上層２の上に被梱包物１９を載置する。
【００１９】
このように被梱包物１９を弾性フィルム１４の上に直接載置するのではなく、弾性フィルム１４の上に載せた中敷き１の上に載置することで、被梱包物１９が弾性フィルム１４に接触することがなくなる。従って、被梱包物１９の角や鋭利なバリ等が弾性フィルム１４を傷つけることなく、そのため弾性フィルム１４が裂けたり破れたりすることを回避することができる。これにより、梱包用材料１０は何度でも使用することができ、梱包用箱の複数回のリユースが可能となる。
【００２０】
中敷き１の大きさは、載置される梱包用材料１０ａの窓１３よりも小さくされている。被梱包物１９は上述したように（図１参照）、弾性フィルム１４の上に載置され、その上からさらに梱包用材料１０ｂによって弾性フィルム１４を被せられて、いわば弾性フィルム１４に挟まれる形で支持され、弾性フィルム１４の持つ張力により外箱２０が受ける振動等を吸収している。そのため、中敷き１が例えば、梱包用材料１０の窓１３と同じ大きさであったり、又は枠体１２の上に載ってしまうような大きさであると、弾性フィルム１４の張力がもつ外箱２０が受けた振動をうまく吸収するという効果が発揮できず、被梱包物１９に振動が直接伝わってしまうことになる。
【００２１】
そこで、弾性フィルム１４が伸び縮みする余地を残しておく必要があることから、中敷き１の大きさは、載置される梱包用材料１０ａの窓１３よりも小さくされている。なお、この中敷き１の大きさは、前記窓１３より小さければ、被梱包物１９の大きさに合わせて大きく或いは小さく構成することができる。
【００２２】
中敷き１の下層３には、滑り止めの加工がなされている。例えば、弾性フィルム１４の上に中敷き１と被梱包物１９を載置した場合に、中敷き１が弾性フィルム１４の上で滑ってしまい、被梱包物１９の脚が中敷き１の上から外れてしまうこと等があり得る。この場合、弾性フィルム１４に被梱包物１９の荷重が点（小さな面積）でかかってしまうことになるため、弾性フィルム１４が裂けたり破れてしまったりすることを防止する必要があるからである。
【００２３】
ここで滑り止めの加工といった場合は、滑り止め効果のある部材を用いて下層３を構成する場合のほか、下層３に別途滑り止めの効果を付与する場合、例えば、滑り止めの効果を有する溶剤等を下層３の弾性フィルムと接する面に塗布する場合等も含む。また、下層３とともに、上層２に滑り止め加工を施し、被梱包物１９が中敷き１の上で滑ることを防止するようにしても良い。
【００２４】
図６は、弾性フィルムにかかる荷重を分散させる梱包用部材についての別の実施の形態を示した展開図である。図６に記載されている符号の中で、上述した図２と同じ符号を付してある部分は図２と同じ構成であり、説明を省略する。
【００２５】
本実施形態では、上述の中敷き１とは異なり、図６に示されているように、弾性フィルム１４にかかる荷重を分散させる梱包用部材３０ａ，３０ｂが枠体１２の相対向する２つの長辺の両辺に沿って帯状に設けている。
【００２６】
通常、被梱包物となる、例えば電子機器等の脚は、機器等の四隅に設けられていることが多く、これら脚に当たる部分にのみ梱包用部材を設けることもできる。しかしながら、各脚ごとに梱包用部材を設けると、各梱包用部材は各脚の大きさに合った比較的小さなものとなり、振動等を受けた場合に脚が梱包用部材から外れてしまうことも考えられる。また、各脚ごとのその脚の面積に近い梱包用部材では、非常に小さな面積で被梱包物の荷重を支えなければならず、弾性フィルムが裂けたり破れたりする確率が高くなってしまう。そこで、梱包用部材３０ａ，３０ｂを帯状に構成することで脚が部材から外れてしまうことを防止し、さらに、被梱包物１９の脚に集中してかかる荷重を小さな面積で受けずに大きな面積で受けることができる。
【００２７】
また、帯状の梱包用部材３０ａ，３０ｂで被梱包物１９の荷重を支えることになれば、弾性フィルム１４にかかる荷重を分散させることができる。従って、被梱包物１９の脚部分の弾性フィルム１４が過剰に沈み込むことがなく、被梱包物１９の脚以外の部分との距離をある一定の距離で保っておくことができるので、鋭利なバリ等と弾性フィルム１４が接触することを可能な限り避けることができる。
【００２８】
以上のように、梱包用部材３０ａ，３０ｂを帯状に構成することで、弾性フィルム１４にかかる荷重を分散でき、弾性フィルム１４が裂けたり破れたりすることを防ぐことができる。従って、梱包用材料３０は何度でも使用することができ、梱包用箱の複数回のリユースが可能となる。
【００２９】
なお、本実施形態では、枠体１２の相対向する２つの長辺の両辺に沿って梱包用部材３０ａ，３０ｂを配置しているが、相対向する両辺であれば、短辺に沿って部材を配置してもかまわない。
【図面の簡単な説明】
【００３０】
【図１】本発明の実施の一形態の梱包用箱の全体を示す分解斜視図である。
【図２】外箱の蓋を開けた状態で示す斜視図である。
【図３】梱包用材料の展開図である。
【図４】中敷きを示す斜視図である。
【図５】中敷きが弾性フィルムの上に載置された状態を一部切り欠いた状態で示した斜視図である。
【図６】弾性フィルムが受ける荷重を分散させる部材の別の実施形態を示す展開図である。
【図７】背景技術を説明するための分解斜視図である。
【符号の説明】
【００３１】
１…梱包用部材、１０ａ，１０ｂ…梱包用材料、１４…弾性フィルム、１５ａ〜１５ｄ…脚部、１９…被梱包物、２０…外箱、３０ａ，３０ｂ…梱包用部材
【図１】
2006044671.tif 000003
【図２】
2006044671.tif 000004
【図３】
2006044671.tif 000005
【図４】
2006044671.tif 000006
【図５】
2006044671.tif 000007
【図６】
2006044671.tif 000008
【図７】
2006044671.tif 000009